(57)【要約】【課題】車両の室内照明装置において、照明装置内に塵等の異物が入らず、不使用時にも室内の見栄えを損なわない照明装置を提供する。【解決手段】車両の室内に面した構成部材（天井部材）３０に室内を照明する発光体４２を収納することのできる収納凹部３６を車室面側が開口して形成する。収納凹部３６内に発光体４２を収納配設し、発光体４２が収納配設された収納凹部３６の開口３６ａを光透過性の表皮３４で覆う。【選択図】図３
2008114730.tif 000002
【特許請求の範囲】
【請求項１】
車両の室内を照明するために車両の室内に面して配設される車両の室内照明装置であって、
車両の室内に面した構成部材に室内を照明する発光体を収納することのできる収納凹部が車室面側が開口して形成されており、該収納凹部内に前記発光体が収納配設されており、該発光体が収納配設された収納凹部の開口が光透過性の表皮で覆われていることを特徴とする車両の室内照明装置。
【請求項２】
前記発光体は、軸方向の少なくとも一端に光源体を備えた棒状の導光体であり、前記光源体から入射された光を軸方向側面から発して室内を照明することを特徴とする請求項１に記載の車両の室内照明装置。
【請求項３】
前記車両の室内に面した構成部材は天井部材であり、
前記発光体の一端にのみ光源体が備えられている一の発光体が天井全体を照明可能に配設されている特徴とする請求項２に記載の車両の室内照明装置。
【請求項４】
前記光源体は、発光ダイオードからなることを特徴とする請求項２又は請求項３に記載の車両の室内照明装置。
【発明の詳細な説明】
【技術分野】
【０００１】
本発明は、車両の室内照明装置（以下、照明装置と称する場合がある。）に関する。
【背景技術】
【０００２】
車両の室内照明装置として、単に車室内を明るくする本来の照明機能のみならず、やわらかな光による高級感の演出機能等の付加価値を兼ね備えた種々の照明装置がある。例えば、図７に示すように、ピラーガーニッシュ９０の上端に形成された上方に開口したポケット９２内にランプ９４を備えた照明装置がある。このような照明装置は、光源（ランプ９４）が直接見えないいわゆる間接照明方式であり、ランプ９４が照射口（ポケットの開口）９２ａから天井９６を照射し、その反射光で室内全体を照明することにより、陰影やまぶしさの少ないやわらかい光で車室内を照明することができる。それにより、落ち着いた雰囲気や高級感が演出される。このような照明装置は、例えば特許文献１に開示されている。
【０００３】
【特許文献１】特開２００３−１２７７６６号公報
【発明の開示】
【発明が解決しようとする課題】
【０００４】
しかしながら、図７に示す従来の照明装置では、ポケット９２が開口しているため塵等の異物が入る場合がある。また、ピラーガーニッシュ９０の上端が車室内側に突き出しており、照射口９２ａが常に見えているため見栄えもよくない。さらに、広い車室を備えた車両に適応する場合は、天井９６の全体を照射するために複数の光源（ランプ９４）を備えなければならず、例えば、３列シートを備えたワンボックスタイプの車両に適応する場合は両サイドに３本ずつ備えられたピラーガーニッシュ９０の各所において合計６体もの光源（ランプ９４）を設けなければ天井９６全体を照明することができず、光源が多くなるほど組み立て時にはんだ付けの不良等の不具合が発生しやすくなるとともに、コスト上昇を招いていた。
【０００５】
そこで本発明では、車両の室内照明装置において、照明装置内に塵等の異物が入らず、不使用時にも室内の見栄えを損なわない照明装置を提供することを課題とした。
さらに、広い車内を少ない光源で効率よく照明することができる車両の室内照明装置を提供することを課題とした。
【課題を解決するための手段】
【０００６】
本発明は、上記課題を解決するための手段として以下の手段をとる。
先ず第１の発明は、車両の室内を照明するために車両の室内に面して配設される車両の室内照明装置であって、車両の室内に面した構成部材に室内を照明する発光体を収納することのできる収納凹部が車室面側が開口して形成されており、該収納凹部内に前記発光体が収納配設されており、該発光体が収納配設された収納凹部の開口が光透過性の表皮で覆われていることを特徴とする車両の室内照明装置である。
この第１の発明の照明装置によれば、先ず車両の室内を照明する発光体が室内に面した構成部材に形成された収納凹部に収納配設されているため、発光体が室内に突出せず、室内の見栄えが損なわれない。次に収納凹部の開口が光透過性の表皮で覆われていることにより、室内を照明することができるとともに、発光体が配設された収納凹部に異物等が入るのを防ぐことができる。
【０００７】
次に第２の発明は、前記発光体は、軸方向の少なくとも一端に光源体を備えた棒状の導光体であり、前記光源体から入射された光を軸方向側面から発して室内を照明することを特徴とする上記第１の発明に記載の車両の室内照明装置である。
この第２の発明の照明装置によれば、光源体が発した光を棒状の発光体の端部から入射し、その光を発光体の軸方向側面から発することにより、より少ない光源でより広範囲を照明することができる。
【０００８】
次に第３の発明は、前記車両の室内に面した構成部材は天井部材であり、前記発光体の一端にのみ光源体が備えられている一の発光体が天井全体を照明可能に配設されている特徴とする上記第２の発明に記載の車両の室内照明装置である。
この第３の発明の照明装置によれば、一端にのみ光源体が備えられている一の発光体が天井全体を照明可能に配設されていることにより、一の光源体により天井全体を効率よく照明することができる。
【０００９】
次に第４の発明は、前記光源体は、発光ダイオードからなることを特徴とする上記第２または３の発明のうちいずれか１項に記載の車両の室内照明装置である。
この第４の発明の照明装置によれば、光源体が発光ダイオードからなるため小型であり、より小さな収納スペースに配設可能であるから、天井部材等の薄い構成部材に対しても容易に適応することができる。
【発明の効果】
【００１０】
本発明によれば、照明装置内に塵等の異物が入らず、不使用時にも車室内の見栄えを損なわない照明装置を提供することができる。さらに、広い車内を少ない光源で効率よく照明することができる車両の室内照明装置を提供することができる。
【発明を実施するための最良の形態】
【００１１】
以下、図面を参照しながら本発明を実施するための最良の形態について説明する。本実施形態では、図１に示すように、車両の前後方向に３列の座席１２ａ〜１２ｃを備えたワンボックス型の車両１０において、室内に面した天井部材３０に車両の室内照明装置２０が組み込まれている。天井部材３０は、ウレタン製の基材３２の室内側表面に不織布製の表皮３４が内張りされた板状である。天井部材３０を構成する基材３２には、室内側に開口部３６ａを備えた溝部３６が平面視でＵ字状に形成されている（図２参照）。溝部３６は、発光体４２が収納可能に形成されており、図３に示すように発光体４２を収納した際に発光体４２が基材３２の表面から突出しない深さに形成されている。この溝部３６が本発明の収納凹部に相当する。なお、図２中には天井部材３０とともに符号１４ａ〜１４ｃとしてピラーガーニッシュを示した。
【００１２】
発光体４２は、直径約５〜８ｍｍの丸棒状でアクリル製の導光体であり、「発光」と称するがそれ自体が光を放つものではなく、端部から入射された光を拡散させて軸方向側面から発するように形成されている。発光体４２の一端に光源体４４がアタッチメント４３を介して接続されている（図４参照）。この光源体４４はそれ自体が光を放つものであり、本実施形態の光源体４４は発光ダイオード（ＬＥＤ）からなる。発光体４２は光源体４４により発せられ発光体４２に入射された光を発光体４２の軸方向側面から発することができる。発光体４２は平面視でＵ字状に形成されており、基材３２に形成された室内に面する溝部３６に収納され（図２参照）、この一の発光体４２により天井の略全体を照明可能に配設されている。図３及び図４に示すように、溝部３６はその開口部３６ａが表皮３４により覆われている。この表皮３４は天井部材３０の内張りとしての表皮であるとともに光透過性を具備している。本発明における光透過性とは、発光体４２の発する光の少なくとも一部が透過可能であることを示している。なお、図４に示すように、本実施形態では光源体４４は表皮３４内でなく基材３２の車室外側上部に配設されており、修理等に対応が容易となっている。
【００１３】
以上の構成の照明装置２０によれば、以下の作用効果を奏する。
先ず、発光体４２が天井部材３０の溝部３６に収納されており室内に突出していないため室内の見栄えが損なわれない。次に、発光体４２が収納された溝部３６の開口部３６ａが光透過性の表皮３４で覆われていることにより、溝部３６に異物が入るのを防ぐことができるとともに、室内を照明することができる。次に、溝部３６の開口部３６ａを覆う表皮が、天井部材３０の内張りとしての表皮と同一の表皮３４であるため、照明装置２０が組み込まれたことにより天井部材３０に外観上の違和感が生じない。次に、光透過性の表皮３４が不織布製であるため発光体４２の発する光のうち一部のみを室内へ透過するため、表皮３４を介することにより室内の照明光が弱められる。それにより、陰影やまぶしさの少ないやわらかい印象の光となり、落ち着いた雰囲気や高級感の創出など光の演出が可能となる。次に、光源体４４が発した光が発光体４２の軸方向側面から発せられることにより、より少ない光源により広範囲を照明することができる。特に本実施の形態においては、発光体４２をＵ字状としたことにより、発光体４２の一端に設けられた一の光源である光源体４４のみにより天井全体を照明することができる。次に、光源体４４がＬＥＤからなるため、小型であり天井部材３０のような薄い構成部材に対して組み込む場合も容易に対応することができる。
【００１４】
なお、本発明は上記実施形態に限定されず、本発明の要旨を逸脱しない範囲内で種々の変更を行なうことができる。例えば、光源体４４は、ＬＥＤに限らず、白熱灯や蛍光灯等のそれ自体が発光するものであればよい。また、光源体４４は、発光体４２の一端にのみでなく両端に配設してもよい。上記実施形態においては、光源体４４が表皮３４内でなく基材３２の車室外側上部に配設されているが、表皮３４内に配設してもよい。また、発光体４２の平面視形状はＵ字型に限定されず、例えば、文字や模様を形成することも可能である。
【００１５】
発光体４２が丸棒状の導光体からなりその一端に光源体４４を備えている場合、通常、図５（ａ）に示すように光が入射された端部から離れた位置ほど発光体４２の軸方向側面から発せられる光は減少する。そこで、図５（ｂ）に示すように、発光体５２に軸方向の断面が略長方形の複数の切り欠き５３ａ、５３、・・・を形成してもよい。切り欠き５３ａ、５３、・・・を大きくするほど発光体５２の軸方向側面から発せられる光を強くすることができる。したがって、光が入射された端部から離れた位置ほど切り欠き５３ａ、５３ｂ、・・・を大きくすることにより、光の入射位置から離れることによる光の減少が相殺され、図５（ｃ）に示すように発光体５２から放たれる光を位置によらず略均一とすることができる。これにより、上記実施形態のように発光体の一端にのみ光源体を備えた発光手段により天井全体を照明する場合でも天井全体を略均一に照らすことができる。なお、切り欠き５３の形状は断面コの字状に限らず、図５（ｄ）に示す発光体６２のように断面Ｖ字状の切り欠き６３ａ、６３ｂ、・・・を形成してもよい。また、発光体４２の軸方向に垂直な断面形状は円形に限らず、例えば、図６に示す発光体７２のように断面半円形としてもよい。
【００１６】
発光体は、その一端に光源体を備えた棒状の導光体に限定されず、発光ダイオード、白熱灯、蛍光灯等のそれ自体が発光するもののみで構成されていてもよい。
【００１７】
表皮３４は、光透過性であれば色や材質は限定されないが、例えば、フェルト状の不織布、織物、編物等の各種布地を用いることができる。また、上記実施形態においては、天井部材３０に対して照明装置２０を組み込んだ例を示したが、天井部材に限らず、車両の室内に面した種々の構成部材に対して組み込むことができる。特に、従来表皮が内張りされている構成部材に対して組み込む場合は、その内張り表皮により収納凹部を覆うことにより、外観上の違和感を生じずに照明装置を組み込むことができる。
【図面の簡単な説明】
【００１８】
【図１】本実施の形態の照明装置が配設された車両の側面図である。
【図２】図１に示す車両の天井部材（照明装置）の斜視図である。
【図３】図２に示す照明装置のＡ−Ａ線拡大断面図である。
【図４】図２に示す照明装置のＢ−Ｂ線拡大断面図である。
【図５】（ａ）は図２に示す照明装置を構成する発光体の拡大正面図であり、（ｂ）及び（ｃ）は、発光体の変形例を示す正面図であり、（ｄ）は発光体の別の変形例示す正面図である。
【図６】図５（ｂ）〜（ｄ）とは別の発光体の変形例を示す図４に対応する断面図である。
【図７】従来の照明装置を示す図であり、車両のピラーガーニッシュ部分の車幅方向に平行な断面図である。
【符号の説明】
【００１９】
１０  車両
２０  照明装置
３０  天井部材
３２  基材
３４  表皮
３６  溝部（収納凹部）
３６ａ      開口部
４２  発光体
４４  光源体
５２  発光体
６２  発光体
７２  発光体
【図１】
2008114730.tif 000003
【図２】
2008114730.tif 000004
【図３】
2008114730.tif 000005
【図４】
2008114730.tif 000006
【図５】
2008114730.tif 000007
【図６】
2008114730.tif 000008
【図７】
2008114730.tif 000009